(57)【要約】【課題】特別な、フレームへの装着手段を要することなく車両の操縦性を向上させることができる鞍乗型車両を提供する。【解決手段】運転者が跨るようにして座るシート（１２）と、シート（１２）よりも前方にあって、車両を操舵するためのハンドルバー（１４）と、シート（１２）の前方、ハンドルバー（１４）の後方において、運転者が両脚で挟むことができるニーグリップ部（１７ｎ）と、ニーグリップ部（１７ｎ）の下方にあって、車両に推進力を与えるパワーユニット（３０）とを備え、パワーユニット（３０）は、ニーグリップ部（１７ｎ）よりも車幅方向外側に張り出している張出し部（３２Ｌ）（３２Ｒ）を備え、その張出し部（３２Ｌ）（３２Ｒ）の、少なくとも運転者の脚に対向する脚対向部に、柔軟素材による脚当てパッド（３３）を備えている。【選択図】図１
2014184868.tif 000002
【特許請求の範囲】
【請求項１】
運転者が跨るようにして座るシート（１２）と、
このシート（１２）よりも前方にあって、車両を操舵するためのハンドルバー（１４）と、
シート（１２）の前方、ハンドルバー（１４）の後方において、運転者が両脚で挟むことができるニーグリップ部（１７ｎ）と、
ニーグリップ部（１７ｎ）の下方にあって、車両に推進力を与えるパワーユニット（３０）と、
とを備える鞍乗り型車両において、
パワーユニット（３０）は、ニーグリップ部（１７ｎ）よりも車幅方向外側に張り出している張出し部（３２Ｌ）（３２Ｒ）を備え、その張出し部（３２Ｌ）（３２Ｒ）の、少なくとも運転者の脚に対向する脚対向部に、柔軟素材による脚当てパッド（３３）を備えていることを特徴とする鞍乗型車両。
【請求項２】
請求項１において、
前記パワーユニット（３０）はクランク軸（３１）が車両前後方向に沿うように搭載されたＶ型エンジンであり、該パワーユニット（３０）のシリンダヘッド部が前記張出し部（３２Ｌ）（３２Ｒ）を形成し、該シリンダヘッド部の後部に前記脚当てパッド（３３）が設けられていることを特徴とする鞍乗型車両。
【請求項３】
請求項１または２において、
前記脚当てパッド（３３）は、グロメット（４１）を介してパワーユニット（３０）に固定された取付け板（４０）に固着されていることを特徴とする鞍乗型車両。
【請求項４】
請求項３において、
前記取付け板（４０）はグロメット（４１）の弾性によりパワーユニット（３０）に固定され、車両の前後方向へ移動させることで着脱されることを特徴とする鞍乗型車両。
【請求項５】
請求項３または４において、
前記取付け板（４０）はシリンダヘッド部後面から前方に延び、点火プラグ穴（５７）を上方から覆うことを特徴とする鞍乗型車両。
【発明の詳細な説明】
【技術分野】
【０００１】
本発明は、鞍乗型車両に関するものである。
【背景技術】
【０００２】
従来、例えば特許文献１に見られるように、減速時に運転者や運転者の後の相乗り者の両手にかかる負担を軽減し、運転者の操縦性能が低下することを防止すべく、膝当て装置（１１）を設けた鞍乗型車両が知られている。
また、例えば特許文献２に見られるように、Ｖ型４気筒エンジンを縦置きした鞍乗型車両も知られている。
また、例えば特許文献３に見られるように、動弁機構を覆うシリンダヘッドカバーを更に覆うオーバーヘッドカバーを備えたエンジンも知られている。
【先行技術文献】
【特許文献】
【０００３】
【特許文献１】特許第４１３２２０７号公報
【特許文献２】特許第２８５８０１７号公報
【特許文献３】特開２００４−２９３４３５号公報
【発明の概要】
【発明が解決しようとする課題】
【０００４】
一般に、鞍乗り型車両の操縦者は、両脚で車体ボディの両側面を挟み、両足の裏で主として加速時に体重を支えるが、減速時に両腕に体重が掛かってしまうと、車両の自由な操縦が難しくなる恐れがある。
上述した特許文献１の鞍乗型車両によると、上記のようなおそれはなくなると考えられる。
しかし、上述した特許文献１の鞍乗型車両では、特別な膝当て装置（１１）を特別な装着手段（１２）にてフレーム（１０）に装着しなければならないという難点がある。
【０００５】
本発明が解決しようとする課題は、特別な、フレームへの装着手段を要することなく車両の操縦性を向上させることができる鞍乗型車両を提供することである。
【課題を解決するための手段】
【０００６】
上記課題を解決するために本発明の鞍乗型車両は、
運転者が跨るようにして座るシート（１２）と、
このシート（１２）よりも前方にあって、車両を操舵するためのハンドルバー（１４）と、
シート（１２）の前方、ハンドルバー（１４）の後方において、運転者が両脚で挟むことができるニーグリップ部（１７ｎ）と、
ニーグリップ部（１７ｎ）の下方にあって、車両に推進力を与えるパワーユニット（３０）と、
とを備える鞍乗り型車両において、
パワーユニット（３０）は、ニーグリップ部（１７ｎ）よりも車幅方向外側に張り出している張出し部（３２Ｌ）（３２Ｒ）を備え、その張出し部（３２Ｌ）（３２Ｒ）の、少なくとも運転者の脚に対向する脚対向部に、柔軟素材による脚当てパッド（３３）を備えていることを特徴とする。
この鞍乗型車両によれば、減速時には、前記脚対向部の脚当てパッド（３３）に脚を当接させて体重を支えることができるため、両腕はハンドル操作に専念できる。また、脚当てパッド（３３）に当てた脚を使って車体に荷重を与え、旋回のきっかけとすることもでき、車両の操作性が更に向上する。
しかも、脚当てパッド（３３）は、パワーユニット（３０）における前記張出し部（３２Ｌ）（３２Ｒ）に設けられるので、従来技術では必要とされた特別な装着手段が不要となる。
以上のように、この鞍乗型車両によれば、特別な、フレームへの装着手段を要することなく車両の操縦性を向上させることができる
【０００７】
この鞍乗型車両においては、
前記パワーユニット（３０）はクランク軸（３１）が車両前後方向に沿うように搭載されたＶ型エンジンであり、該パワーユニット（３０）のシリンダヘッド部が前記張出し部（３２Ｌ）（３２Ｒ）を形成し、該シリンダヘッド部の後部に前記脚当てパッド（３３）が設けられている構成とすることができる。
このように構成すると、パワーユニット（３０）のシリンダヘッド部を前記張出し部（３２Ｌ）（３２Ｒ）として活用できるので、別途張出し部（３２Ｌ）（３２Ｒ）を設ける必要がなくなる。
【０００８】
この鞍乗型車両においては、
前記脚当てパッド（３３）は、グロメット（４１）を介してパワーユニット（３０）に固定された取付け板（４０）に固着されている構成とすることができる。
このように構成すると、パワーユニット（３０）からの熱が脚当てパッド（３３）に伝わりにくくなるので、取付け板（４０）および脚当てパッド（３３）を樹脂材料で構成し、軽量化した上で耐久性を増すことができる。また、運転者にとっても快適になる。
【０００９】
この鞍乗型車両においては、
前記取付け板（４０）はグロメット（４１）の弾性によりパワーユニット（３０）に固定され、車両の前後方向へ移動させることで着脱される構成とすることができる。
このように構成すると、工具を用いることなく取付け板（４０）を着脱することができる。
【００１０】
この鞍乗型車両においては、
前記取付け板（４０）はシリンダヘッド部後面から前方に延び、点火プラグ穴（５７）を上方から覆う構成とすることができる。
このように構成すると、点火プラグやプラグキャップ等への水や泥の直撃を防止できる。
【図面の簡単な説明】
【００１１】
【図１】本発明に係る鞍乗型車両の一実施の形態の側面図。
【図２】要部を示す拡大平面。
【図３】部分省略拡大正面図。
【図４】シリンダヘッドカバー（５０）を示す図で、（ａ）は平面図、（ｂ）は図（ａ）におけるｂ−ｂ断面図、（ｃ）は図（ａ）におけるｃ−ｃ断面図、（ｄ）は図（ａ）におけるｄ−ｄ断面図。
【図５】取付け板（４０）を示す図で、（ａ）は斜視図、（ｂ）は図（ｃ）におけるｂ−ｂ断面図、（ｃ）は底面図、（ｄ）は図（ｃ）におけるｄ−ｄ断面図。
【発明を実施するための形態】
【００１２】
以下、本発明に係る鞍乗型車両の実施の形態について図面を参照して説明する。なお、図面は符号の向きに見るものとし、各図において、同一部分ないし相当する部分には、同一の符号を付してある。
【００１３】
図１に示す鞍乗型車両（１０）は、自動二輪車であり、運転者が跨るようにして座るシート（１２）と、このシート（１２）よりも前方にあって、車両（１０）を操舵するためのハンドルバー（１４）と、シート（１２）の前方、ハンドルバー（１４）の後方において、運転者が両脚で挟むことができるニーグリップ部（１７ｎ）と、ニーグリップ部（１７ｎ）の下方にあって、車両（１０）に推進力を与えるパワーユニット（３０）とを備えている。
【００１４】
（２０）は車体フレームであり、ヘッドパイプ（２１）からパワーユニット（３０）前方を斜め後下方へ延びるダウンフレーム（２２）を備え、ダウンフレーム（２２）の後方にパワーユニット（３０）が支持されている。
ニーグリップ部（１７ｎ）は、車体フレーム（２０）に支持される燃料タンク（またはタンクシェルター）（１７）におけるシート（１２）側の部位によって構成される。
【００１５】
図２にも示すように、パワーユニット（３０）は、ニーグリップ部（１７ｎ）よりも車幅方向外側に張り出している張出し部（３２Ｌ）（３２Ｒ）を備え、その張出し部（３２Ｌ）（３２Ｒ）の、少なくとも運転者の脚に対向する脚対向部に、柔軟素材による脚当てパッド（３３）を備えている。
【００１６】
この鞍乗型車両（１０）によれば、運転者は、減速時に、前記脚対向部の脚当てパッド（３３）に脚を当接させて体重を支えることができるため、両腕はハンドル操作に専念できる。また、脚当てパッド（３３）に当てた脚を使って車体に荷重を与え、旋回のきっかけとすることもでき、車両（１０）の操作性が更に向上する。
しかも、脚当てパッド（３３）は、パワーユニット（３０）における前記張出し部（３２Ｌ）（３２Ｒ）に設けられるので、従来技術では必要とされた特別な装着手段が不要となる。
以上のように、この鞍乗型車両（１０）によれば、特別な、フレーム（２０）への装着手段を要することなく車両（１０）の操縦性を向上させることができる
【００１７】
図１、図３に示すように、パワーユニット（３０）はクランク軸（３１）が車両（１０）の前後方向に沿うように搭載されたＶ型エンジンであり、該パワーユニット（３０）のシリンダヘッド部が前記張出し部（３２Ｌ）（３２Ｒ）を形成し、該シリンダヘッド部（３２Ｌ）（３２Ｒ）の後部に前記脚当てパッド（３３）が設けられている。
このように構成すると、パワーユニット（３０）のシリンダヘッド部を張出し部（３２Ｌ）（３２Ｒ）として活用できるので、別途張出し部（３２Ｌ）（３２Ｒ）を設ける必要がなくなる。
【００１８】
脚当てパッド（３３）は、グロメット（４１）（図５参照）を介してパワーユニット（３０）に固定された取付け板（４０）に固着されている。
このように構成すると、パワーユニット（３０）からの熱が脚当てパッド（３３）に伝わりにくくなるので、取付け板（４０）をポリアミド樹脂（商品名ナイロン）等のいわゆるエンジニアリングプラスチックで、脚当てパッド（３３）を発泡ウレタン等で構成可能になり、軽量化した上で耐久性を増すことができる。また、運転者にとっても快適になる。
【００１９】
図４に示すように、パワーユニット（３０）のシリンダヘッド部の一部を構成するシリンダヘッドカバー（５０）は、取付け板（４０）によって覆われる凹部（５１）を有しており、この凹部（５１）の口縁部に形成された段部（５２）に、図５に示す取付け板（４０）の縁部（４２）が嵌り合う。
【００２０】
シリンダヘッドカバー（５０）の凹部（５１）には、点火プラグの取付穴（５７）（５７）と、取付け板（４０）のための固定ピン（５３）（５３）と、取付け板（４０）のための係合部（５４）（５４）とが設けられている。係合部（５４）は、凹部（５１）にボルト（５４ｂ）で固定されたプレート（５４ｐ）に装着したゴム製の角筒状部材５４ｒで構成されている。
【００２１】
また、凹部（５１）には、シリンダヘッドのウォータージャケット（図示せず）に冷却水を供給するための冷却水導入ポート（５５）が設けられている。この冷却水導入ポート（５５）には、リードバルブ（５５ｖ）と、カバー（５５ｃ）とが設けられている。カバー（５５ｃ）はボルト（５５ｂ）で凹部（５１）に固定されている。
なお、（５６）はシリンダヘッドへの固定部である。
【００２２】
一方、図５に示すように、取付け板（４０）は、シリンダヘッドカバー（５０）の後面（５０ｒ）（図４（ａ）参照）を覆う後片（４０ｒ）と、この後片（４０ｒ）から一体に前方に延びてシリンダヘッドカバー（５０）の凹部（５１）を覆う天片（４０ｃ）と、この天片（４０ｃ）から一体にシリンダヘッド前面側に延びてシリンダヘッドカバー（５０）の前面（５０ｆ）（図４（ａ）参照）を覆う前片（４０ｆ）とを備えている。
すなわち、取付け板（４０）はシリンダヘッド部後面から前方に延び、点火プラグ穴（５７）を上方から覆っている。
このように構成すると、点火プラグやプラグキャップ等への水や泥の直撃を防止できる。
【００２３】
取付け板（４０）は、前述したグロメット（４１）が装着され、前記シリンダヘッドカバー（５０）における固定ピン（５３）と嵌り合う係合穴（４３）と、シリンダヘッドカバー（５０）における係合部（５４）と係合するフック部（４４）とを備えている。
【００２４】
取付け板（４０）は、フック部（４４）をシリンダヘッドカバー（５０）における係合部（５４）に係合させ、係合穴（４３）をシリンダヘッドカバー（５０）における固定ピン（５３）にグロメット（４１）を介して嵌め込むことによって、シリンダヘッドカバー（５０）に対して着脱可能に装着される。
【００２５】
すなわち、取付け板（４０）はグロメット（４１）の弾性によりパワーユニット（３０）に固定され、車両（１０）の前後方向へ移動させることで着脱される。
このように構成すると、工具を用いることなく取付け板（４０）を着脱することができる。
【００２６】
以上、本発明の実施の形態について説明したが、本発明は上記の実施の形態に限定されるものではなく、本発明の要旨の範囲内において適宜変形実施可能である。
【符号の説明】
【００２７】
１０：車両、１２：シート、１４：ハンドルバー、１７ｎ：ニーグリップ部、３０：パワーユニット、３２Ｌ，３２Ｒ：張出し部（シリンダヘッド部）、３３：脚当てパッド、３１：クランク軸、４０：取付け板、４１：グロメット、５７：点火プラグ穴。
【図１】
2014184868.tif 000003
【図２】
2014184868.tif 000004
【図３】
2014184868.tif 000005
【図４】
2014184868.tif 000006
【図５】
2014184868.tif 000007